(57)【特許請求の範囲】
【請求項１】
ユーザにより指示された動画データの時差再生を行う動画表示システムであって、
放送局にて放送された番組をリアルタイムで動画データとして記録し、自身で記録している動画データの時差再生が前記ユーザにより指示された場合には、当該動画データを読み出して該動画データの時差再生を行う動画表示装置と、
前記動画表示装置とネットワークを介して接続され、前記放送局にて放送された番組を動画データとして記録する機能を備え、前記動画表示装置からの要求に応じて自身で記録している動画データを前記動画表示装置に対して配信するビデオオンデマンドサーバとを有し、
前記動画表示装置は、自身で記録していない動画データの時差再生が前記ユーザにより指示された場合、前記ビデオオンデマンドサーバに対して当該動画データを配信するよう要求することにより、該ビデオオンデマンドサーバから当該動画データを取得して該動画データの時差再生を行うことを特徴とする動画表示システム。
【請求項２】
請求項１に記載の動画表示システムにおいて、
前記動画表示装置は、
前記放送局にて放送された番組を受信するチューナと、
前記放送局にてアナログ地上波放送が行われている場合に、前記チューナにて受信された番組を圧縮・符号化処理してデジタルの動画データに変換する動画圧縮装置と、
前記放送局にてアナログ地上波放送が行われている場合には、前記動画圧縮装置にて圧縮・符号化処理された動画データを記憶し、前記放送局にてデジタル放送が行われている場合には、前記チューナにて受信された番組をデジタルの動画データとして直接記憶する記憶装置と、
前記記憶装置にて記憶された動画データを伸長・復号化処理して映像及び音声に変換する動画展開装置と、
前記動画展開装置にて変換された映像を出力する映像表示装置と、
前記動画展開装置にて変換された音声を出力するスピーカと、
前記ユーザからの指示が入力される入力装置と、
当該動画表示装置を前記ネットワークを介して前記ビデオオンデマンドサーバに接続するためのネットワーク接続装置と、
前記放送局にて放送される番組の動画データの情報を電子番組表として保存する番組情報保存装置と、
当該動画表示装置全体の制御を行う演算処理装置とを有することを特徴とする動画表示システム。
【請求項３】
請求項２に記載の動画表示システムにおいて、
前記演算処理装置は、前記放送局にて未来に放送される予定の番組の動画データの時差再生が前記ユーザにより前記入力装置を介して指示された場合、前記番組情報保存装置に保存された電子番組表から当該動画データに該当する情報を入手し、該情報に基づいて前記ネットワーク接続装置を介して前記ビデオオンデマンドサーバに対して当該動画データを記録する予定があるか否かの問い合わせを行い、前記ビデオオンデマンドサーバに当該動画データを記録する予定があることを確認した際には、前記ネットワーク接続装置を介して前記ビデオオンデマンドサーバに対して当該動画データを配信するよう要求することにより、前記ビデオオンデマンドサーバから前記ネットワーク接続装置を介して当該動画データを取得し、該動画データを前記動画展開装置にて映像及び音声に変換させ、該映像及び音声を前記映像表示装置及び前記スピーカのそれぞれにて出力させることを特徴とする動画表示システム。
【請求項４】
請求項３に記載の動画表示システムにおいて、
前記演算処理装置は、前記放送局にて未来に放送される予定の番組の動画データの時差再生が前記ユーザにより前記入力装置を介して指示される際に該ユーザにより当該動画データを視聴したい時間も同時に指示された場合、前記ビデオオンデマンドサーバに当該動画データを記録する予定があることを確認した後、前記ネットワーク接続装置を介して前記ビデオオンデマンドサーバに対して前記ユーザが指示した時間に当該動画データを配信するよう要求し、
前記ビデオオンデマンドサーバは、前記演算処理装置からの要求に応じて前記ユーザが指示した時間に当該動画データを前記ネットワーク接続装置を介して当該動画表示装置に対して配信し、
前記演算処理装置は、前記ビデオオンデマンドサーバから前記ネットワーク接続装置を介して取得した動画データを前記動画展開装置にて映像及び音声に変換させ、該映像及び音声を前記映像表示装置及び前記スピーカのそれぞれにて出力させることを特徴とする動画表示システム。
【請求項５】
請求項２乃至４のいずれか１項に記載の動画表示システムにおいて、
前記演算処理装置は、前記放送局にて現在放送されている番組の動画データの時差再生が前記ユーザにより前記入力装置を介して指示された場合、当該動画データを前記記憶装置から読み出して前記動画展開装置にて映像及び音声に変換させ、該映像及び音声を前記映像表示装置及び前記スピーカのそれぞれにて出力させることを特徴とする動画表示システム。
【請求項６】
請求項５に記載の動画表示システムにおいて、
前記演算処理装置は、前記放送局にて現在放送されている番組の動画データの時差再生が前記ユーザにより前記入力装置を介して指示される際に該ユーザにより当該動画データを視聴したい時間が指示された場合、前記ユーザが指示した時間に当該動画データを前記記憶装置から読み出して前記動画展開装置にて映像及び音声に変換させ、該映像及び音声を前記映像表示装置及び前記スピーカのそれぞれにて出力させることを特徴とする動画表示システム。
【請求項７】
請求項３に記載の動画表示システムにおいて、
前記ビデオオンデマンドサーバは、前記演算処理装置からの問い合わせに対して前記ネットワーク接続装置を介して前記演算処理装置に返答する機能を備え、
前記演算処理装置は、前記放送局にて未来に放送される予定の番組の動画データの時差再生が前記ユーザにより指示された場合には、前記ビデオオンデマンドサーバに当該動画データを記録する予定があるか否かを該ビデオオンデマンドサーバからの返答に基づいて確認することを特徴とする動画表示システム。
【請求項８】
請求項２乃至７のいずれか１項に記載の動画表示システムにおいて、
前記ビデオオンデマンドサーバは、前記動画表示装置に配信した動画データに基づいて、前記動画表示装置を介して前記ユーザに課金することを特徴とする動画表示システム。
【請求項９】
請求項２乃至８のいずれか１項に記載の動画表示システムにおいて、
前記チューナ及び前記動画圧縮装置は、複数設けられていることを特徴とする動画表示システム。
【発明の詳細な説明】
【０００１】
【発明の属する技術分野】
本発明は、動画データの時差再生を行う動画表示システムに関する。
【０００２】
【従来の技術】
近年、現在の映像に加えて過去の映像をも表示可能な時差再生動画表示装置が開発されている。
【０００３】
従来の時差再生動画表示装置においては、放送局にてＴＶ放送された番組を受信し、受信した番組を動画データとして活用することで時差再生が実現されていた。
【０００４】
【発明が解決しようとする課題】
しかしながら、上述したような従来の動画表示装置においては、受信した番組を元に動作が行われているため、既にＴＶ放送が完了した番組の範囲でしか時差再生を行うことができないという問題点がある。
【０００５】
本発明は上述したような従来の技術が有する問題点に鑑みてなされたものであって、時差再生が可能な番組の範囲を拡張することができる動画表示システムを提供することを目的とする。
【０００６】
【課題を解決するための手段】
上記目的を達成するために本発明の動画表示システムは、放送局にて放送された番組をリアルタイムで動画データとして記録し、自身で記録している動画データの時差再生が前記ユーザにより指示された場合には、当該動画データを読み出して該動画データの時差再生を行う動画表示装置と、前記動画表示装置とネットワークを介して接続され、前記放送局にて放送された番組を動画データとして記録する機能を備え、前記動画表示装置からの要求に応じて自身で記録している動画データを前記動画表示装置に対して配信するビデオオンデマンドサーバとを有し、前記動画表示装置は、自身で記録していない動画データの時差再生が前記ユーザにより指示された場合、前記ビデオオンデマンドサーバに対して当該動画データを配信するよう要求することにより、該ビデオオンデマンドサーバから当該動画データを取得して該動画データの時差再生を行うことを特徴とする。
【０００７】
また、前記動画表示装置は、前記放送局にて放送された番組を受信するチューナと、前記放送局にてアナログ地上波放送が行われている場合に、前記チューナにて受信された番組を圧縮・符号化処理してデジタルの動画データに変換する動画圧縮装置と、前記放送局にてアナログ地上波放送が行われている場合には、前記動画圧縮装置にて圧縮・符号化処理された動画データを記憶し、前記放送局にてデジタル放送が行われている場合には、前記チューナにて受信された番組をデジタルの動画データとして直接記憶する記憶装置と、前記記憶装置にて記憶された動画データを伸長・復号化処理して映像及び音声に変換する動画展開装置と、前記動画展開装置にて変換された映像を出力する映像表示装置と、前記動画展開装置にて変換された音声を出力するスピーカと、前記ユーザからの指示が入力される入力装置と、当該動画表示装置を前記ネットワークを介して前記ビデオオンデマンドサーバに接続するためのネットワーク接続装置と、前記放送局にて放送される番組の動画データの情報を電子番組表として保存する番組情報保存装置と、当該動画表示装置全体の制御を行う演算処理装置とを有することを特徴とする。
【０００８】
また、前記演算処理装置は、前記放送局にて未来に放送される予定の番組の動画データの時差再生が前記ユーザにより前記入力装置を介して指示された場合、前記番組情報保存装置に保存された電子番組表から当該動画データに該当する情報を入手し、該情報に基づいて前記ネットワーク接続装置を介して前記ビデオオンデマンドサーバに対して当該動画データを記録する予定があるか否かの問い合わせを行い、前記ビデオオンデマンドサーバに当該動画データを記録する予定があることを確認した際には、前記ネットワーク接続装置を介して前記ビデオオンデマンドサーバに対して当該動画データを配信するよう要求することにより、前記ビデオオンデマンドサーバから前記ネットワーク接続装置を介して当該動画データを取得し、該動画データを前記動画展開装置にて映像及び音声に変換させ、該映像及び音声を前記映像表示装置及び前記スピーカのそれぞれにて出力させることを特徴とする。
【０００９】
また、前記演算処理装置は、前記放送局にて未来に放送される予定の番組の動画データの時差再生が前記ユーザにより前記入力装置を介して指示される際に該ユーザにより当該動画データを視聴したい時間も同時に指示された場合、前記ビデオオンデマンドサーバに当該動画データを記録する予定があることを確認した後、前記ネットワーク接続装置を介して前記ビデオオンデマンドサーバに対して前記ユーザが指示した時間に当該動画データを配信するよう要求し、前記ビデオオンデマンドサーバは、前記演算処理装置からの要求に応じて前記ユーザが指示した時間に当該動画データを前記ネットワーク接続装置を介して当該動画表示装置に対して配信し、前記演算処理装置は、前記ビデオオンデマンドサーバから前記ネットワーク接続装置を介して取得した動画データを前記動画展開装置にて映像及び音声に変換させ、該映像及び音声を前記映像表示装置及び前記スピーカのそれぞれにて出力させることを特徴とする。
【００１０】
また、前記演算処理装置は、前記放送局にて現在放送されている番組の動画データの時差再生が前記ユーザにより前記入力装置を介して指示された場合、当該動画データを前記記憶装置から読み出して前記動画展開装置にて映像及び音声に変換させ、該映像及び音声を前記映像表示装置及び前記スピーカのそれぞれにて出力させることを特徴とする。
【００１１】
また、前記演算処理装置は、前記放送局にて現在放送されている番組の動画データの時差再生が前記ユーザにより前記入力装置を介して指示される際に該ユーザにより当該動画データを視聴したい時間が指示された場合、前記ユーザが指示した時間に当該動画データを前記記憶装置から読み出して前記動画展開装置にて映像及び音声に変換させ、該映像及び音声を前記映像表示装置及び前記スピーカのそれぞれにて出力させることを特徴とする。
【００１２】
また、前記ビデオオンデマンドサーバは、前記演算処理装置からの問い合わせに対して前記ネットワーク接続装置を介して前記演算処理装置に返答する機能を備え、前記演算処理装置は、前記放送局にて未来に放送される予定の番組の動画データの時差再生が前記ユーザにより指示された場合には、前記ビデオオンデマンドサーバに当該動画データを記録する予定があるか否かを該ビデオオンデマンドサーバからの返答に基づいて確認することを特徴とする。
【００１３】
また、前記ビデオオンデマンドサーバは、前記動画表示装置に配信した動画データに基づいて、前記動画表示装置を介して前記ユーザに課金することを特徴とする。
【００１４】
また、前記チューナ及び前記動画圧縮装置は、複数設けられていることを特徴とする。
【００１５】
（作用）
上記のように構成された本発明においては、動画表示装置において、例えば、放送局にて現在放送されている番組の動画データの様に自身で記録している動画データの時差再生が指示された場合には、その動画データを読み出して該動画データの時差再生を行い、放送局にて未来に放送される予定の番組の様に自身で記録していない動画データの時差再生が指示された場合には、その動画データをビデオオンデマンドサーバから取得して該動画データの時差再生を行うため、現在放送されている番組のみならず、未来に放送される予定の番組についても時差再生が可能となる。
【００１６】
【発明の実施の形態】
以下に、本発明の実施の形態について図面を参照して説明する。
【００１７】
図１は、本発明の動画表示システムの実施の一形態を示すブロック図である。
【００１８】
図１に示すように本実施形態は、動画表示装置１と、動画表示装置１にＬＡＮ（Local Area Network）等の外部ネットワークを介して接続されたビデオオンデマンド（ＶＯＤ）サーバ１２とから構成されている。
【００１９】
動画表示装置１は、ＨＤＤ等である記憶装置２と、入力装置３と、チューナユニット４と、動画圧縮装置５と、動画展開装置６と、映像表示装置７と、モデム等であるネットワーク接続装置８と、増幅器９ａ及びスピーカ９ｂを具備するスピーカユニット９と、番組情報保存装置１０と、ＣＰＵ１１ａ、ＲＡＭ１１ｂ及びＲＯＭ１１ｃを具備する演算処理装置１１とから構成されている。
【００２０】
演算処理装置１１は、動画表示装置１全体の制御を行う。
【００２１】
入力装置３は、一般的なビデオデッキと同等な「早送り」「無き戻し」等のボタンを備えており、ユーザは、「早送り」「無き戻し」ボタンを操作することで任意の再生地点を指定することができる。
【００２２】
また、入力装置３は、上記のようなボタンの他、ユーザが時差再生を指示するためのボタンを備えており、ユーザは、このボタンを操作することで、時差再生を希望する動画データや、その動画データを視聴したい時間を指定することができる。
【００２３】
チューナユニット４は、放送局（不図示）にてＴＶ放送された番組を受信し、演算処理装置１１は、チューナユニット４に受信された番組を動画圧縮装置５に送り、動画圧縮装置５は、この番組を圧縮・符号化処理してデジタルの動画データに変換し、記憶装置２は、この動画データを記憶する。なお、動画圧縮装置５にて行われる代表的な動画圧縮技術としてはＭＰＥＧ等がある。
【００２４】
演算処理装置１１は、ユーザ操作により入力装置３を介して現在ＴＶ放送されている番組の動画データの様に記憶装置２に記憶されている動画データの時差再生が指示された場合、指示された動画データを記憶装置２から読み込んで動画展開装置６に送り、動画展開装置６は、この動画データを映像及び音声に伸長・復号化処理し、映像表示装置７及びスピーカユニット９は、この映像及び音声をそれぞれ出力する。
【００２５】
ビデオオンデマンドサーバ１２は、複数のチューナを具備し、複数の放送局にてＴＶ放送された番組を動画データとして記録する機能を備えており、動画表示装置１からの要求に応じて自身で記録している動画データを動画表示装置１に配信する。
【００２６】
また、ビデオオンデマンドサーバ１２は、動画表示装置１に配信した動画データに基づいて、動画表示装置１を介してユーザに課金を行うこともできる。
【００２７】
番組情報保存装置１０は、放送局にてＴＶ放送される番組の動画データの情報を電子番組表（EPG；Electronic Program Guide）として保存している。この電子番組表のデータは、外部ネットワークからネットワーク接続装置８を介して入手するか、或いは地上波アナログデータ放送における「ADAMS-EPG」の様にＴＶ放送を介して入手することになる。なお、ネットワーク接続装置８を介して行われる代表的なネットワーク接続（伝送）技術としては１００ＢＡＳＥ−ＴＸ等がある。
【００２８】
また、演算処理装置１１は、ユーザ操作により入力装置３を介して未来にＴＶ放送される予定の番組の動画データの様に記憶装置２に記憶されていない動画データの時差再生が指示された場合、番組情報保存装置１０に保存された電子番組表からその動画データに該当する情報を入手し、入手した情報を元に、未来にＴＶ放送される番組の動画データを記録する予定があるか否かをネットワーク接続装置８を通じてビデオオンデマンドサーバ１２に問い合わせる。その結果、問い合わせた動画データがビデオオンデマンドサーバ１２にて記録する予定がある場合や、ビデオオンデマンドサーバ１２のビデオライブラリに存在する場合、演算処理装置１１は、ビデオオンデマンドサーバ１２に当該動画データをユーザの希望した時間に配信するように要求し、その時間に配信された動画データをネットワーク接続装置８を通じて動画表示装置１内に取り込み、その動画データを動画展開装置６にて伸長・復号化させた後、映像表示装置７及びスピーカユニット９から出力させる。
【００２９】
以下に、上記のように構成された動画表示システムの動作について図１〜図４を参照して説明する。なお、以下の説明では、チューナユニット４及び動画圧縮装置５がそれぞれ１つずつ設けられているものとし、また、チューナユニット４がアナログ地上波放送でＴＶ放送された番組を受信するものとする。
【００３０】
まず、動画表示装置１における番組記憶動作について説明する。
【００３１】
図２は、図１に示した動画表示装置１における番組記憶動作を説明するためのフローチャートである。
【００３２】
図２に示すように、ＴＶ放送された番組がチューナユニット４に受信されると（ステップＡ１）、この番組は、演算処理装置１１の制御の元で動画圧縮装置５に送られ、動画圧縮装置５にて圧縮・符号化処理されてデジタルの動画データに変換され（ステップＡ２）、記憶装置２に記憶される（ステップＡ３）。
【００３３】
このため、動画表示装置１においては、チューナユニット４に受信された番組を、リアルタイムに圧縮・符号化処理してデジタル動画データに変換すると同時に、記憶装置２に記憶することになる。
【００３４】
次に、動画表示装置１におけるユーザ操作による時差再生動作について説明する。
【００３５】
図３は、図１に示した動画表示装置１におけるユーザ操作による時差再生動作を説明するためのフローチャートである。
【００３６】
図３に示すように、まず、ユーザは、時差再生を希望する動画データを入力装置３を介して指定する（ステップＢ１）。このとき、ユーザは、その動画データを視聴したい時間も指定する。
【００３７】
次に、演算処理装置１１において、ユーザ操作により指定された動画データが記憶装置（ＨＤＤ）２内に記憶されているか否かを判断する（ステップＢ２）。
【００３８】
例えば、ステップＢ１において、ユーザが現在ＴＶ放送されている一般的な形式の番組の動画データを指定した場合、その動画データは上述したステップＡ１〜Ａ３までの処理により記憶装置２に記憶されているため、ステップＢ２において、その動画データが記憶装置２に記憶されていると判断される。
【００３９】
この場合には、演算処理装置１１において、当該動画データを記憶装置２から読み出して動画展開装置６に送り（ステップＢ３）、動画展開装置６において、この動画データを映像及び音声に伸長・復号化処理し（ステップＢ４）、表示装置７及びスピーカユニット９において、この映像及び音声をそれぞれ出力する（ステップＢ５）。
【００４０】
一方、ステップＢ１において、ユーザが、未来にＴＶ放送される予定の一般的な形式の番組の動画データを指定した場合には、ステップＢ２において、それらの動画データが記憶装置２に記憶されていないと判断される。
【００４１】
この場合には、演算処理装置１１において、番組情報保存装置１０に保存された電子番組表からその動画データに該当する情報を入手し、この情報を元に、ネットワーク接続装置８を通じてビデオオンデマンドサーバ１２に対して当該動画データがビデオライブラリに存在するか否か、或いは、当該動画データを未来に記録する予定があるか否かの問い合わせを行う（ステップＢ６）。
【００４２】
その結果、ユーザが指定した未来にＴＶ放送される番組をビデオオンデマンドサーバ１２にて記録する予定があることを確認した場合には、演算処理装置１１において、ユーザーが視聴を希望した時間に当該動画データを配信するようビデオオンデマンドサーバ１２に要求することにより、その時間にビデオオンデマンドサーバ１２からネットワーク接続装置８を通じて当該動画データを動画表示装置１内に取り込む（ステップＢ８）。
【００４３】
その後、現在ＴＶ放送されている番組の動画データを時差再生する動作と同様に、演算処理装置１１において、ネットワーク接続装置８を通じて取り込まれた動画データを動画展開装置６に送り、動画展開装置６において、この動画データを映像及び音声に伸長・復号化処理し（ステップＢ４）、表示装置７及びスピーカユニット９において、この映像及び音声をそれぞれ出力する（ステップＢ５）。
【００４４】
一方、ユーザが指定した未来にＴＶ放送される番組をビデオオンデマンドサーバ１２にて記録する予定がないことを確認した場合には、演算処理装置１１において、映像表示装置７にエラー表示させた後（ステップＢ７）、記憶装置２から現時刻に最も近い番組の動画データを読み出して動画展開装置６に送り（ステップＢ３）、動画展開装置６において、この動画データを映像及び音声に伸長・復号化処理し（ステップＢ４）、表示装置７及びスピーカユニット９において、この映像及び音声をそれぞれ出力する（ステップＢ５）。
【００４５】
次に、ビデオオンデマンドサーバ１２における動作について説明する。
【００４６】
図４は、図１に示したビデオオンデマンドサーバ１２における動作を説明するためのフローチャートである。
【００４７】
図４に示すように、ビデオオンデマンドサーバ１２は、動画表示装置（図４ではクライアントと表記）１から、ユーザが指定した未来にＴＶ放送される番組の動画データを記録する予定があるか否かの問い合わせを受け付けると（ステップＣ１）、これらの問い合わせに対して動画表示装置１に返答する機能を備えている（ステップＣ２）。
【００４８】
動画表示装置１内の演算処理装置１１は、ビデオオンデマンドサーバ１２からの返答に基づいて、ユーザが指定した未来にＴＶ放送される番組をビデオオンデマンドサーバ１２にて記録する予定があるか否かを確認することになる。
【００４９】
また、ビデオオンデマンドサーバ１２は、動画表示装置１から、ユーザが視聴を希望する時間に当該動画データを配信してほしい旨の要求を受け付けると（ステップＣ３）、その時間に当該動画データを配信可能であるか否かを判断し（ステップＣ４）、配信可能であると判断した場合には、その時間に当該動画データを配信する機能を備えている（ステップＣ５）。
【００５０】
また、ビデオオンデマンドサーバ１２は、動画データを配信する際に、配信した動画データに基づいて動画表示装置１を介してユーザに課金する機能も備えている。
【００５１】
なお、本実施形態においては、チューナユニット４に受信される番組がアナログ地上波放送された番組として説明したため、この番組を動画圧縮装置５にて圧縮・符号処理化してデジタル動画データに変換してから記憶装置２に書き込む構成としたが、本発明においては、チューナユニット４に受信される番組がデジタル放送された番組とし、この番組をデジタル動画データとして記憶装置２に直接書き込む構成とすることもできる。
【００５２】
また、本実施形態においては、チューナユニット４及び動画圧縮装置５を１つづつ設けた構成について説明したが、本発明においては、チューナユニット４及び動画圧縮装置５を複数設け、複数の異なる番組をリアルタイムに同時に記録する構成とすることもできる。
【００５３】
【発明の効果】
以上説明したように本発明においては、動画表示装置において、放送局にて放送された番組の動画データをリアルタイムで記録し、自身で記録している動画データの時差再生が指示された場合には、その動画データを読み出して該動画データの時差再生を行い、自身で記録していない動画データの時差再生が指示された場合には、その動画データをビデオオンデマンドサーバから取得して該動画データの時差再生を行うように構成されている。
【００５４】
これにより、例えば、放送局にて現在に放送されている番組の動画データの時差再生が指示された場合には、自身で記録している動画データを利用し、放送局にて未来に放送される予定の番組の動画データの時差再生が指示された場合には、ビデオオンデマンドサーバから取得した動画データを利用して時差再生を行うため、時差再生が可能な番組の範囲を拡張することができる。
【００５５】
このように、ユーザは、現在に放送されている番組のみならず、未来に放送される番組についても時差再生で視聴することができるため、放送局にて放送される番組を放送時間に捕らわれることなく視聴することができるため、生活様式を広げることができる。
【００５６】
また、動画表示装置においては、ユーザにより動画データの時差再生が指示される際にその動画データを視聴したい時間も同時に指示された場合、ユーザが指示した時間にその動画データの時差再生を行うことが可能であるため、ユーザは、自身が望む時間にその動画データを視聴することができ、生活様式を更に広げることができる。
【図面の簡単な説明】
【図１】  本発明の動画表示システムの実施の一形態を示すブロック図である。
【図２】  図１に示した動画表示装置における番組記憶時の動作を説明するためのフローチャートである。
【図３】  図１に示した動画表示装置におけるユーザ操作時の時差再生動作を説明するためのフローチャートである。
【図４】  図１に示したビデオオンデマンドサーバにおける動作を説明するためのフローチャートである。
【符号の説明】
１    動画表示装置
２    記憶装置
３    入力装置
４    チューナユニット
５    動画圧縮装置
６    動画展開装置
７    映像表示装置
８    ネットワーク接続装置
９    スピーカユニット
９ａ    増幅器
９ｂ    スピーカ
１０    番組情報保存装置
１１    演算処理装置
１１ａ    ＣＰＵ
１１ｂ    ＲＡＭ
１１ａ    ＲＯＭ
１２    ビデオオンデマンドサーバ
【図１】
0003672019.tif 000002
【図２】
0003672019.tif 000003
【図３】
0003672019.tif 000004
【図４】
0003672019.tif 000005